(57)【要約】【課題】機械に対する浮き上がりを防止する機械固定治具を提供すること。【解決手段】機械１００を設置面２００に対して固定するための機械固定治具であって、鉛直方向に長い長孔３４が形成された起立面３１と、起立面３１の上部から機械１００側の凸部１５に向けて横方向に延びた上側面３２を備えた固定用ブラケット１１と、起立面３１の長孔３４を通して凸部１５のネジ穴２３に締め付けられる固定用ボルト１３と、上側面３２に取り付けられて凸部１５に対し上方から突き当てられる突き当て部材１６とを有するものである。【選択図】図１
2018001363.tif 000002
【特許請求の範囲】
【請求項１】
機械を設置面に対して固定するための機械固定治具であって、
鉛直方向に長い長孔が形成された起立面と、前記起立面の上部から前記機械側の凸部に向けて横方向に延びた上側面を備えた固定用ブラケットと、
前記起立面の長孔を通して前記凸部のネジ穴に締め付けられる固定用ボルトと、
前記上側面に取り付けられて前記凸部に対し上方から突き当てられる突き当て部材と、を有するものであることを特徴とする機械固定治具。
【請求項２】
起立面には内周面にネジ部を備えたボルト挿通孔が形成され、前記突き当て部材が、前記ボルト挿通孔に螺合する突き当てボルトであることを特徴とする請求項１に記載の機械固定治具。
【請求項３】
前記機械側の凸部は、前記機械の側部に対してネジ止めされた固定用ブロックであることを特徴とする請求項１又は請求項２に記載の機械固定治具。
【発明の詳細な説明】
【技術分野】
【０００１】
本発明は、設置面に対して機械を固定するための機械固定治具に関する。
【背景技術】
【０００２】
工場などに機械を設置する場合、床面などの設置面に対して機械を固定するための固定手段が用いられる。大きな地震が発生したような場合であっても、設置された機械に対して転倒や位置ズレなどを防止するためである。機械を固定するための手段としては、下記特許文献１に機械固定治具が開示されている。この機械固定治具は、機械に形成された突出部を上側から押え込むことで機械の浮き上がりを防止するものである。具体的には、床面に対してアンカーボルトによって基台が固定され、その基台に円柱形状の２本の支柱が立設され、更にその支柱に対して押え部材が取付けられた後、押え部材が上側から拘束部材によって拘束される。
【０００３】
押え部材は、板部材に２本の支柱が貫通する貫通孔が形成されているが、その孔径が支柱の外径よりも大きいため傾斜した姿勢で取り付けられ、その傾斜した先端部分が機械の突出部の上側面に当てられる。一方、押え部材の上側に重なるように取り付けられた拘束部材は、同じく２本の支柱が貫通する貫通孔が形成され、その孔径が支柱の外径よりも大きいため傾斜した姿勢で取り付けられる。そして、その拘束部材には板面を直交方向に貫通すボルトが締め付けられ、突き出したネジ部先端が下側の押え部材との距離を押し広げるように力が作用し、傾斜した姿勢が保たれるようになっている。
【先行技術文献】
【特許文献】
【０００４】
【特許文献１】特開２００７−１２５８４６号公報
【発明の概要】
【発明が解決しようとする課題】
【０００５】
ところで、前述した従来の機械固定治具は、機械を上方へ移動させる力が作用した場合に押え部材によって機械の浮き上がりを防止するものであるが、機械を押え込もうとする力は支柱と押え部材との摩擦力にすぎない。従って、エネルギーの大きな地震が発生したような場合には、摩擦力を超えた力が作用することが考えられ、機械の浮き上がりを防止することができないおそれがある。すなわち、機械の転倒は防げたとしても高さ方向の基準位置がずれてしまう。そして、工場内の加工機などにおける基準位置の位置ズレは、その後、機械の設置状態を戻すためにセッティングを行わなければならなくなるが、それが非常に手間のかかるものである。また、従来の機械固定治具は、床面にはアンカーボルトによって固定された基台、その基台に立設された２本の支柱、そして支柱に対して取り付けられる押え部材や拘束部材などが必要であり、治具を構成するための部品点数が多くなってしまっている。
【０００６】
そこで、本発明は、かかる課題を解決すべく、機械に対する浮き上がりを防止する機械固定治具を提供することを目的とする。
【課題を解決するための手段】
【０００７】
本発明に係る機械固定治具は、機械を設置面に対して固定するためのものであって、鉛直方向に長い長孔が形成された起立面と、前記起立面の上部から前記機械側の凸部に向けて横方向に延びた上側面を備えた固定用ブラケットと、前記起立面の長孔を通して前記凸部のネジ穴に締め付けられる固定用ボルトと、前記上側面に取り付けられて前記凸部に対し上方から突き当てられる突き当て部材とを有するものである。
【発明の効果】
【０００８】
本発明によれば、固定用ブラケットを介して機械を設置面に固定するが、その固定用ブラケットには突き当てボルトが螺合され、機械側の凸部に上方から突き当てられるため、機械に対する浮き上がりを防止することができる。
【図面の簡単な説明】
【０００９】
【図１】機械固定治具の実施形態の取り付け状態を示した斜視図である。
【図２】機械固定治具の実施形態の取り付け状態を示した側面図である。
【図３】機械固定治具の実施形態を示した図２のＡ−Ａ断面図である。
【図４】従来の機械固定治具を示した斜視図である。
【発明を実施するための形態】
【００１０】
次に、本発明に係る機械固定治具の一実施形態について、図面を参照しながら以下に説明する。図１は、本実施形態の機械固定治具を示した斜視図である。また、図２は、本実施形態の機械固定治具を示した側面図である。この機械固定治具１は、旋盤などの加工機１００を工場の設置面２００に固定するためのものである。その加工機１００は、例えば他の加工機と並設され、ワーク搬送装置によって自動でワークの受渡しが行われる。そのため、工場への設置に際して、３軸方向の位置合わせをしたセッティングが行われる。そして、セッティングされた加工機１００に対して、機械固定治具１を使用した設置面２００への固定処理が行われる。
【００１１】
機械固定治具１は、固定用ブラケット１１を介して設置面２００に加工機１００を固定するように構成されたものである。その固定用ブラケット１１は、いわゆるＺ型をした板部材であり、補強プレート１２が上下方向に接合された起立面３１と、その起立面３１の上下端部において直交する上側面３２および下側面３３が設けられている。固定時の固定用ブラケット１１は、図示するように、上側面３２が加工機１００側に延びるように内側に位置し、下面３３は上側面３２とは反対の外側に延びて位置する。
【００１２】
固定用ブラケット１１は、その下側面３３がアンカーボルト２０によって設置面２００に固定される。そして、起立面３１を貫通した固定用ボルト１３によって加工機１００側に固定される。すなわち、起立面３１には、上下方向に長い長孔３４が２箇所に形成され、その長孔３４に対して外側からワッシャ１４を通した固定用ボルト１３が貫通する。そして、その固定用ボルト１３が加工機１０側に固定された固定用ブロック１５に締め付けられ、固定用ブラケット１１が加工機１００側に固定される。よって、この固定用ブラケット１１を介して加工機１００が設置面２００に固定されることとなる。
【００１３】
更に、本実施形態の機械固定治具１には、固定用ブラケット１１の上側面３２に突き当てボルト１６が取り付けられ、加工機１００に対する浮き上がりを防止する構成がとられている。固定用ブラケット１１には、上側面３２にネジ孔であるボルト挿通孔３５が形成され、そのボルト挿通孔３５に対して突き当てボルト１６が螺合している。突き当てボルト１６は、固定用ブラケット１１に対して鉛直方向に取り付けられ、その下側先端が固定用ブロック１５の上面に突き当てられている。そして、突き当てボルト１６には上側面３２に当たる位置まで位置決めナット１７が締め付けられ、その突き当てボルト１６に対する突き当て状態の位置決めが行われている。よって、接地面２００に固定された固定用ブラケット１１は、突き当てボルト１６を介して加工機１００（固定用ブロック１５）を上から押さえ込む構成となっている。
【００１４】
ところで、図４は、従来の機械固定治具を示した斜視図であるが、本実施形態の固定用治具１は、その従来の機械固定治具からの変更が容易な構成がとられている。加工機１００を固定する従来の機械固定治具１１０は、Ｌ型に形成された固定用ブラケット１１１が使用されている。そして、その固定用ブラケット１１１が設置面にアンカーボルト１２０によって固定され、長孔１３４を通した固定用ボルト１１３が加工機１００の壁面に締め付けられている。よって、加工機１００は、この場合でも固定用ブラケット１１１を介して設置面２００に固定されることとなる。
【００１５】
しかし、長孔１３４を通して加工機１００に固定用ボルト１１３を締結する構成では、上下方向のズレ防止はボルトの締め付けによって生じる摩擦力であるため、前記課題でも述べたように大きなエネルギーの振動が生じた場合には上下方向に加工機１００がズレを生じてしまう。そこで、当該課題を解決するため、簡単な構成の変更として考えられるのは長孔１３４を丸穴にすることである。丸穴内では固定用ボルト１１３の上下方向の移動が制限され、加工機１００の同方向のズレが防止されるからである。
【００１６】
ただし、このような構成は、固定用ブラケット１１１の丸穴と加工機１００のネジ孔との位置精度が求められるため、位置ズレが生じている場合には固定用ボルト１１３が締め付けられなくなる。そこで、通常は予め加工機１００にネジ孔が形成されているが、丸穴を採用した場合には、実際に工場で設置する時に加工機１００にネジ孔を加工するか、或いは固定用ブラケットを作成する必要が生じてしまう。すなわち、機械固定治具の取り付けは、取り付け易さを考慮すると長孔が好ましく、上下方向のズレを防止するための解決手段として丸穴を使用することは妥当ではない。
【００１７】
そこで、本実施形態では、前述したような固定用ブロック１５や突き当てボルト１６を使用し、加工機１００を上方から押え込む構成が採用されている。この場合、加工機１００側に凸部が一体的に形成されていれば、そこに突き当てボルト１６を突き当てるように構成すればよい。しかし、図４にも示すように、加工機１００には該当する凸部は存在しない。そこで、本実施形態では、固定用ブロック１５を加工機１００へ固定する構造とした。その際、加工機１００には従来の固定用ブラケット１１１を固定するネジ孔が形成されているため、固定用ブロック１５の固定にはそのネジ孔を利用している。
【００１８】
ここで、図３は、本実施形態の機械固定治具１を示した図２のＡ−Ａ断面図である。加工機１００は、機体を構成する壁板１０１の一部に座面１０２が設けられ、その壁板１０１には座面１０２から貫通したネジ孔１０５が形成されている。図４に示す従来例では、このネジ孔１０５に固定用ボルト１１３を螺合させていた。一方、本実施形態では、座面１０２に固定用ブロック１５が当てられ、ネジ孔１０５に螺合したブロック用ボルト２１によって固定されている。これにより、固定用ブロック１５が加工機１００の凸部として構成されている。
【００１９】
固定ブロック１５には、２か所にブロック用ボルト２１を挿入する貫通したボルト挿通孔２２と、固定用ボルト１３を螺合するネジ孔２３とが、それぞれ２か所ずつ形成されている。従って、ブロック用ボルト２１により加工機１００に対して固定用ブロック１５が固定され、その固定用ブロック１５に対して、固定用ボルト１３により固定用ブラケット１１が固定される。そして、前述したように、固定用ブラケット１１の上側面３２に突き当てボルト１６が螺合され、その下側先端が固定用ブロック１５の上面に突き当てられる。
【００２０】
よって、本実施形態の機械固定治具１によれば、加工機１００を固定用ブラケット１１により工場などの設置面２００に固定しているが、その固定用ブラケット１１には固定用ブロック１５に上方から突き当てボルト１６が突き当てられているため、加工機１００に対する浮き上がりを防止することができる。加工機１００に対しする固定用ブラケット１１の固定は、長孔３４に固定用ボルト１３を通して行う構成であるため、取り付け作業は従来通り簡単に行うことができる。
【００２１】
また、本実施形態の固定構造では、加工機１００側に凸部が必要になるが、加工機１００のネジ孔１０５を利用して固定用ブロック１５を固定するようにしたため、従来の加工機１００に対して改良を加えことなく機械固定治具１の使用が可能である。更に、本実施形態では、突き当てボルト１６をボルト挿通孔３５に螺合させて加工機１００を上から押さえ込むように構成しているため、加工機１００の凸部（本実施形態では固定用ブロック１５）と固定用ブラケット１１の上側面３２との距離が一定でなくても、確実に押さえ込み状態とすることができる。
【００２２】
以上、本発明の機械固定治具の一実施形態について説明したが、本発明はこれに限定されることなく、その趣旨を逸脱しない範囲で様々な変更が可能である。
例えば、前記実施形態では、固定用ブロック１５をネジ止めして加工機１００側の凸部を構成したが、固定用ブロックを加工機１００に溶接したものであってもよい。
また、前記実施形態では、突き当てボルト１６をボルト挿通孔３５に螺合するように構成したが、例えば、ボルト挿通孔３５を単なる貫通孔とし、位置決めナット１７を上側面３２に対して下側から当たるように締め付けることにより、突き当てボルト１６を位置決めするようにしてもよい。
【符号の説明】
【００２３】
１…機械固定治具  １１…固定用ブラケット  １２…補強プレート  １３…固定用ボルト  １５…固定用ブロック  １６…突き当てボルト  １７…位置決めナット  ２１…ブロック用ボルト  ２２…ボルト挿通孔  ２３…ネジ穴  ３１…起立面  ３２…上側面  ３３…下側面  ３４…長孔  ３５…ボルト挿通孔  １００…加工機  ２００…設置面
【図１】
2018001363.tif 000003
【図２】
2018001363.tif 000004
【図３】
2018001363.tif 000005
【図４】
2018001363.tif 000006